【手続補正書】
【提出日】平成17年4月13日(2005.4.13)
【手続補正１】
【補正対象書類名】明細書
【補正対象項目名】特許請求の範囲
【補正方法】変更
【補正の内容】
【特許請求の範囲】
【請求項１】
上面が開放可能な横長の収納ケースと、収納時にはこの収納ケース内にロール巻きして収納し、使用時にはこの収納ケースから引き出して使用するスクリーン布と、一対の折り畳み可能な脚と、を有する折り畳み式スクリーンであって、
前記一対の脚には、脚の設置面積を大きくするためのフットがそれぞれ設けられていることを特徴とする折り畳み式スクリーン。
【請求項２】
請求項１に記載の折り畳み式スクリーンにおいて、
前記フットは、スクリーン使用時には、前記脚が開いているときも、前記脚が折り畳まれているときも、スクリーンの前後方向に長くなるように設定可能であることを特徴とする折り畳み式スクリーン。
【請求項３】
請求項１又は２に記載の折り畳み式スクリーンにおいて、
前記フットは、スクリーン使用時には、フット後方部よりもフット前方部が長くなるように構成されてなることを特徴とする折り畳み式スクリーン。
【請求項４】
請求項１乃至３のいずれかに記載の折り畳み式スクリーンにおいて、
前記フットは、スクリーン収納時には、スクリーンの左右方向に長くなるように設定可能であることを特徴とする折り畳み式スクリーン。
【請求項５】
請求項１乃至４のいずれかに記載の折り畳み式スクリーンにおいて、
前記脚及びフットは、スクリーン収納時には、いずれも前記収納ケースを上面から見た輪郭の内側に収まるように構成されてなることを特徴とする折り畳み式スクリーン。
【請求項６】
請求項１乃至５のいずれかに記載の折り畳み式スクリーンにおいて、
前記フットは、脚を支点として回転可能であることを特徴とする折り畳み式スクリーン。
【請求項７】
請求項１乃至６のいずれかに記載の折り畳み式スクリーンにおいて、
前記脚が折り畳まれたとき、前記フットが前記収納ケースに固定可能となる構造を有することを特徴とする折り畳み式スクリーン。
【請求項８】
請求項１乃至７のいずれかに記載の折り畳み式スクリーンにおいて、
前記脚が開いたときは前記脚が開いた状態で固定され、前記脚が折り畳まれたときは前記脚が前記収納ケースに固定可能となる構造を有することを特徴とする折り畳み式スクリーン。
【請求項９】
請求項１乃至８のいずれかに記載の折り畳み式スクリーンにおいて、
前記収納ケースの両側側面には、それぞれ取っ手が設けられてなることを特徴とする折り畳み式スクリーン。
【請求項１０】
請求項１乃至９のいずれかに記載の折り畳み式スクリーンにおいて、
前記スクリーン布の上部には、スクリーン使用時にこのスクリーン布を固定するための部材が設けられてなることを特徴とする折り畳み式スクリーン。
【請求項１１】
請求項１乃至１０のいずれかに記載の折り畳み式スクリーンにおいて、
前記収納ケースには、スクリーンの昇降を行う際に用いる棒が収納されてなることを特徴とする折り畳み式スクリーン。
【請求項１２】
上面が開放可能な横長の収納ケースと、
収納時にはこの収納ケース内にロール巻きして収納し、使用時にはこの収納ケースから引き出して使用する可能なスクリーン布と、
スクリーン本体の重量を支えるためのフットであって、スクリーン使用時には、フット後方部よりもフット前方部が長くなるように構成された回転可能なフットと、を有することを特徴とする折り畳み式スクリーン。
【請求項１３】
請求項１乃至１２のいずれかに記載の折り畳み式スクリーンにおいて、
前記スクリーン布の後方に設けられ上下の伸縮と折り畳みが可能となるパンタグラフ機構の主枠と、
この主枠を所望する伸縮状態に保つための弾性支持部材とをさらに有することを特徴とする折り畳み式スクリーン。
【請求項１４】
請求項１３に記載の折り畳み式スクリーンにおいて、
前記主枠の下部両側の枠材の途中に枢着されるとともに、ハ字状に配置した状態で上端を互いに枢止結合して下端部をケース内に固定したレールで横移動可能に支持した保持杵、をさらに有することを特徴とする折り畳み式スクリーン。
【手続補正２】
【補正対象書類名】明細書
【補正対象項目名】０００９
【補正方法】変更
【補正の内容】
【０００９】
【課題を解決するための手段】
（１）本発明の折り畳み式スクリーンは、上面が開放可能な横長の収納ケースと、収納時にはこの収納ケース内にロール巻きして収納し、使用時にはこの収納ケースから引き出して使用するスクリーン布と、一対の折り畳み可能な脚と、を有する折り畳み式スクリーンであって、前記一対の脚には、脚の設置面積を大きくするためのフットがそれぞれ設けられていることを特徴とする。
【手続補正３】
【補正対象書類名】明細書
【補正対象項目名】００１０
【補正方法】変更
【補正の内容】
【００１０】
このため、本発明の折り畳み式スクリーンは、三脚を広げなくてもスクリーン布を所定の高さに設定できるため、壁面に近接して配置することが可能であり空
間の有効利用を図ることができる。そのうえ、脚を開いたり折り畳んだりすることにより容易にスクリーン布の設置高さを高くしたり低くしたりすることができ床の近傍や畳の近傍にもスクリーン布を設置することが容易にできる。また、フットが設けられていることにより脚の床等との設置面積が広くなるので，スクリーンの安定性を高めることができる。さらに、脚を折り畳んだときにも、このフットの作用により、スクリーンの安定性を高めることができる。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
（２）上記（１）に記載の折り畳み式スクリーンにおいては、前記フットは、スクリーン使用時には、前記脚が開いているときも、前記脚が折り畳まれていると
きも、スクリーンの前後方向に長くなるように設定可能であることが好ましい。
【手続補正７】
【補正対象書類名】明細書
【補正対象項目名】００１６
【補正方法】変更
【補正の内容】
【００１６】
（３）上記（１）又は（２）に記載の折り畳み式スクリーンにおいては、前記フットは、スクリーン使用時には、フット後方部よりもフット前方部が長くなるように構成されてなることが好ましい。
【手続補正８】
【補正対象書類名】明細書
【補正対象項目名】００１８
【補正方法】変更
【補正の内容】
【００１８】
（４）上記（１）乃至（３）のいずれかに記載の折り畳み式スクリーンにおいては、前記フットは、スクリーン収納時には、スクリーンの左右方向に長くなるように設定可能であることが好ましい。
【手続補正９】
【補正対象書類名】明細書
【補正対象項目名】００２０
【補正方法】変更
【補正の内容】
【００２０】
（５）上記（１）乃至（４）のいずれかに記載の折り畳み式スクリーンにおいては、前記脚及びフットは、スクリーン収納時には、いずれも前記収納ケースを上面から見た輪郭の内側に収まるように構成されてなることが好ましい。
【手続補正１０】
【補正対象書類名】明細書
【補正対象項目名】００２２
【補正方法】変更
【補正の内容】
【００２２】
（６）上記（１）乃至（５）のいずれかに記載の折り畳み式スクリーンにおいては、前記フットは、脚を支点として回転可能であることが好ましい。
【手続補正１１】
【補正対象書類名】明細書
【補正対象項目名】００２４
【補正方法】変更
【補正の内容】
【００２４】
（７）上記（１）乃至（６）のいずれかに記載の折り畳み式スクリーンにおいては、前記脚が折り畳まれたとき、前記フットが前記収納ケースに固定可能となる構造を有することが好ましい。
【手続補正１２】
【補正対象書類名】明細書
【補正対象項目名】００２６
【補正方法】変更
【補正の内容】
【００２６】
（８）上記（１）乃至（７）のいずれかに記載の折り畳み式スクリーンにおいては、前記脚が開いたとき前記脚が開いた状態で固定され、前記脚が折り畳まれたとき前記脚が前記収納ケースに固定可能となる構造を有することが好ましい。
【手続補正１３】
【補正対象書類名】明細書
【補正対象項目名】００２８
【補正方法】変更
【補正の内容】
【００２８】
（９）上記（１）乃至（８）のいずれかに記載の折り畳み式スクリーンにおいては、前記収納ケースの両側側面には、それぞれ取っ手が設けられてなることが好
ましい。
【手続補正１４】
【補正対象書類名】明細書
【補正対象項目名】００３０
【補正方法】変更
【補正の内容】
【００３０】
上記（１）乃至（９）のいずれかに記載の折り畳み式スクリーンにおいては、前記収納ケースには、持ち手が設けられた上蓋が設けられてなることが好ましい。
【手続補正１５】
【補正対象書類名】明細書
【補正対象項目名】００３２
【補正方法】変更
【補正の内容】
【００３２】
（１０）上記（１）乃至（９）のいずれかに記載の折り畳み式スクリーンにおいては、前記スクリーン布の上部には、スクリーン使用時にこのスクリーン布を固定するための部材が設けられてなることが好ましい。
【手続補正１６】
【補正対象書類名】明細書
【補正対象項目名】００３４
【補正方法】変更
【補正の内容】
【００３４】
（１１）上記（１）乃至（１０）のいずれかに記載の折り畳み式スクリーンにおいては、前記収納ケースには、スクリーンの昇降を行う際に用いる棒が収納され
てなることが好ましい。
【手続補正１７】
【補正対象書類名】明細書
【補正対象項目名】００３６
【補正方法】変更
【補正の内容】
【００３６】
（１２）本発明の折り畳み式スクリーンは、上面が開放可能な横長の収納ケースと、収納時にはこの収納ケース内にロール巻きして収納し、使用時にはこの収納ケースから引き出して使用する可能なスクリーン布と、スクリーン本体の重量を支えるためのフットであって、スクリーン使用時にはフット後方部よりもフット前方部が長くなるように構成された回転可能なフットと、を有することを特徴とする
【手続補正１８】
【補正対象書類名】明細書
【補正対象項目名】００３８
【補正方法】変更
【補正の内容】
【００３８】
（１３）上記（１）乃至（１２）のいずれかに記載の折り畳み式スクリーンにおいては、前記スクリーン布の後方に設けられ上下の伸縮と折り畳みが可能となるパンタグラフ機構の主枠と、この主枠を所望する伸縮状態に保つための弾性支持部材とをさらに有することが好ましい。
【手続補正１９】
【補正対象書類名】明細書
【補正対象項目名】００４０
【補正方法】変更
【補正の内容】
【００４０】
（１４）上記（１３）に記載の折り畳み式スクリーンにおいては、
前記主枠の下部両側の枠材の途中に枢着されるとともに、ハ字状に配置した状態で上端を互いに枢止結合して下端部をケース内に固定したレールで横移動可能に支持した保持杵、をさらに有することが好ましい。